(57)【要約】【課題】電力出力装置側から電気的負荷側に対して、逆向きの電力が出力された場合であっても、当該電気的負荷に逆向きの電力が入力されることを防止し得るコネクタ装置を提供する。またかかるコネクタ装置を有効に活用し得る、電力検出装置を提供する。【解決手段】第１コネクタ部と第２コネクタ部とを有し、第１コネクタ部は、電力入力端子および入力側グラウンド端子を有しており、第２コネクタ部は、電力出力端子および出力側グラウンド端子を有しており、前記電力入力端子と電力出力端子は、第１接続線により接続されており、前記入力側グラウンド端子と出力側グラウンド端子は、第２接続線により接続されており、前記第１接続線と第２接続線は、前記第２接続線から第１接続線の方向にのみ電流を流す整流素子を介して接続されているコネクタ装置とする。また当該コネクタ装置、電力出力装置、および電力検出手段を備えた電力検出装置とする。【選択図】図１
2008103125.tif 000002
【特許請求の範囲】
【請求項１】
第１コネクタ部と第２コネクタ部とを有し、
該第１コネクタ部には、所定の電力を出力するための出力端子とグラウンド端子を備える電力出力装置が接続され、該第２コネクタ部には、正極端子と負極端子を備えるとともに、該正極端子側から負極端子側に電流を流すＤＣランプが接続されることにより、前記電力出力装置とＤＣランプを互いに接続させるものであって、
前記第１コネクタ部は、電力入力端子および入力側グラウンド端子を有しており、該電力入力端子には前記出力端子が、該入力側グラウンド端子には前記グラウンド端子が、各々接続されるものであり、
前記第２コネクタ部は、電力出力端子および出力側グラウンド端子を有しており、該電力出力端子には前記正極端子が、該出力側グラウンド端子には前記負極端子が、各々接続されるものであり、
前記電力入力端子と電力出力端子は、第１接続線により接続されており、
前記入力側グラウンド端子と出力側グラウンド端子は、第２接続線により接続されており、
前記第１接続線と第２接続線は、アノードが前記第２接続線に、カソードが前記第１接続線に接続された、ダイオードを介して接続されているコネクタ装置と；
該コネクタ装置に接続された前記電力出力装置と；
該電力出力装置が、前記第１コネクタ部側に出力している電力を検出する、電力検出手段と；を備え、
前記第２コネクタ部に接続された前記ＤＣランプに出力されている電力を検出する電力検出装置であって、
前記電力出力装置は、
前記出力端子と前記グラウンド端子が略短絡状態となったときに電力の出力を停止させる、ショートプロテクト手段を備えたことを特徴とする電力検出装置。
【請求項２】
第１コネクタ部と第２コネクタ部とを有し、該第１コネクタ部には、所定の電力を出力するための出力端子とグラウンド端子を備える電力出力装置が接続され、該第２コネクタ部には、正極端子と負極端子を備える電気的負荷が接続されることにより、前記電力出力装置と電気的負荷を互いに接続させるコネクタ装置であって、
前記第１コネクタ部は、電力入力端子および入力側グラウンド端子を有しており、該電力入力端子には前記出力端子が、該入力側グラウンド端子には前記グラウンド端子が、各々接続されるものであり、
前記第２コネクタ部は、電力出力端子および出力側グラウンド端子を有しており、該電力出力端子には前記正極端子が、該出力側グラウンド端子には前記負極端子が、各々接続されるものであり、
前記電力入力端子と電力出力端子は、第１接続線により接続されており、前記入力側グラウンド端子と出力側グラウンド端子は、第２接続線により接続されており、前記第１接続線と第２接続線は、前記第２接続線から第１接続線の方向にのみ電流を流す整流素子を介して接続されていることを特徴とするコネクタ装置。
【請求項３】
前記整流素子は、
アノードが前記第２接続線に、カソードが前記第１接続線に接続された、ダイオードであることを特徴とする請求項２に記載のコネクタ装置。
【請求項４】
前記電気的負荷は、
前記正極端子側から負極端子側に電流を流す、ＤＣランプであることを特徴とする請求項２または請求項３に記載のコネクタ装置。
【請求項５】
請求項２から請求項４の何れかに記載のコネクタ装置と、
該コネクタ装置に接続された前記電力出力装置と、
該電力出力装置が、前記第１コネクタ部側に出力している電力を検出する、電力検出手段と、を備え、
前記第２コネクタ部に接続された前記電気的負荷に出力されている電力を検出することを特徴とする電力検出装置。
【請求項６】
前記電力出力装置は、
前記出力端子と前記グラウンド端子が略短絡状態となったときに電力の出力を停止させる、ショートプロテクト手段を備えたことを特徴とする請求項５に記載の電力検出装置。
【請求項７】
請求項５または請求項６に記載の電力検出装置における前記第２コネクタに、前記電気的負荷を接続する第１工程と、
該接続のなされた状態において、前記電力検出手段に、前記電力出力装置が前記第１コネクタ側に出力している電力を検出させる第２工程と、
該検出のなされた後、前記第１工程でなされた接続を解除させる第３工程と、
を含むことを特徴とする、前記電気的負荷の検査方法。
【発明の詳細な説明】
【技術分野】
【０００１】
本発明は、電力出力装置と電気的負荷を互いに接続するコネクタ装置、およびこれを用いた電力検出装置に関する。
【背景技術】
【０００２】
従来、例えばプロジェクタ用のＤＣ（直流）ランプ等のような、電気的負荷に相当する製品の生産工程においては、品質管理の一環として、電力確認検査が広く行われている。この電力確認検査は、電気的負荷に対して所定電力を試験的に供給するとともに、そのときの電力状態を確認することにより、品質の良否を判別するものである。
【０００３】
ここで上述した電力確認検査の実施態様の一例として、電気的負荷であるＤＣランプを検査対象とするものについて、図４を参照しながら具体的に説明する。図のように、電力確認検査を行うための電力検出装置１０１は、電源１１１および電力計１１２を備えており、これらは電源線（Ｂａｌｌａｓｔ＋Ｌｉｎｅ）およびＧＮＤ線（Ｂａｌｌａｓｔ−Ｌｉｎｅ）を通じて接続されている。また電力計１１２は、計測対象に接続するためのコネクタ１１２ａを備えている。また検査対象としてのＤＣランプ１０２には、直流電力を受取るためのコネクタ１０２ａが備えられている。
【０００４】
なお各コネクタ（１０２ａ、１１２ａ）は、電源線側の端子である正極（＋）端子、およびＧＮＤ線側の端子である負極（−）端子を有している。そして互いに接続され合うコネクタ同士である１０２ａと１１２ａは、例えば凹凸の嵌め込み形状が用いられることにより、必ず正極端子同士および負極端子同士が接続されるようになっている。
【０００５】
このような構成により、電力検出装置１０１のコネクタ１１２ａにＤＣランプ１０２のコネクタ１０２ａを取り付けて電源１１１から電力を供給し、そのときの電力状態を電力計１１２で確認することで、ＤＣランプ１０２の品質の良否を判別することができる。より具体的には、電力計１０２の検出結果が異常（例えば、ある適正範囲に入っていなかった場合）であったならば、ＤＣランプにおける抵抗値が異常であると認められ、ひいてはこのＤＣランプは１０２不良品であると判別される。逆に、検出結果が正常であったならば、良品であると判別される。
【０００６】
【特許文献１】特開２００６−０１１０８５号公報
【発明の開示】
【発明が解決しようとする課題】
【０００７】
ＤＣランプのような電気的負荷では、電力が入力されるべき方向が決まっており、仮に逆向き（負極端子から正極端子に向かう方向）の電力が入力された場合には、ランプが破損する等の不具合が生ずるおそれがある。そこで上述したように、各コネクタが必ず正極端子同士および負極端子同士が接続されるようにすることで、ＤＣランプに逆向きの電力が投入されることを、極力防止できるようになっている。
【０００８】
しかし何らかの原因で、電力検出装置側から逆向きの電力が出力される事態、すなわち、上述したコネクタ１１２ａにおける負極端子側から電力が出力されてしまう可能性がある。例えば一例を挙げると、上述の電力検出装置１０１において、コネクタ１１２ａは、多数のＤＣランプのコネクタ１０２ａとの間で着脱を繰り返す必要があるため、コネクタ１１２ａが劣化することがある。
【０００９】
そのとき、例えば図４に破線で示すポイントＰにおいてコネクタ１１２ａを取り外し、新たなコネクタ１１２ａを電力計本体に付け替えて修復しようとする際、誤って逆向きに付けてしまうことが考えられる。そうすると、結果として、コネクタ１１２ａの負極端子側から電力が出力されてしまうこととなる。
【００１０】
このような状況でＤＣランプの電力確認検査を実行した場合、上述したようにＤＣランプが破損するおそれがある。また破損には至らなくとも、ダメージを受けたＤＣランプが製品として出荷されてしまった場合、事後的に不良品が多発することも想定され、その被害は甚大となる。
【００１１】
そこで本発明は、上記の問題に鑑みてなされたものであり、電力出力装置側から電気的負荷側に対して、逆向きの電力が出力された場合であっても、当該電気的負荷に逆向きの電力が入力されることを防止し得るコネクタ装置の提供を目的とする。またかかるコネクタ装置を有効に活用し得る、電力検出装置の提供を目的とする。
【課題を解決するための手段】
【００１２】
上記目的を達成するため、本発明によるコネクタ装置は、第１コネクタ部と第２コネクタ部とを有し、該第１コネクタ部には、所定の電力を出力するための出力端子とグラウンド端子を備える電力出力装置が接続され、該第２コネクタ部には、正極端子と負極端子を備える電気的負荷が接続されることにより、前記電力出力装置と電気的負荷を互いに接続させるコネクタ装置であって、前記第１コネクタ部は、電力入力端子および入力側グラウンド端子を有しており、該電力入力端子には前記出力端子が、該入力側グラウンド端子には前記グラウンド端子が、各々接続されるものであり、前記第２コネクタ部は、電力出力端子および出力側グラウンド端子を有しており、該電力出力端子には前記正極端子が、該出力側グラウンド端子には前記負極端子が、各々接続されるものであり、前記電力入力端子と電力出力端子は、第１接続線により接続されており、前記入力側グラウンド端子と出力側グラウンド端子は、第２接続線により接続されており、前記第１接続線と第２接続線は、前記第２接続線から第１接続線の方向にのみ電流を流す整流素子を介して接続されている構成（第２の構成）とする。
【００１３】
本構成によれば、電力出力装置側から電気的負荷側（下流側）に対して、正常な向きの電力が出力された場合には、整流素子は電流を通さないから、電気的負荷に電力を出力することができる。その一方、電力出力装置側から電気的負荷側に対して、逆向きの電力が出力された場合には、整流素子は電流を通すこととなる。
【００１４】
そのため、整流素子の順方向（電流を通す方向）における電流の流れ易さを、電気的負荷よりも十分大きくしておくことで、当該電気的負荷に逆向きの電力が入力されることを防止し得る。またコネクタ装置は、電力出力装置と電気的負荷との間に介在しているから、例えば多数の電気的負荷との着脱を繰り返すことで第２コネクタ部が劣化したとしても、コネクタ装置のみを新しいものに取り替えれば良く、電力出力装置を修理する等の必要はない。
【００１５】
なお、ここでの「グラウンド」とは、必ずしも接地電位には限られず、電力出力装置の出力電圧に比べて小さい電圧状態であればよい。また「第２接続線から第１接続線の方向にのみ電流を流す」という表現については、必ずしも厳密な意味には限定されず、本発明の主旨に反しない限り緩やかに解される。例えば、第１接続線から第２接続線の方向に僅かな電流（例えばダイオードに逆バイアスをかけたときに流れる小電流）が流れるものであっても本発明を構成し得る。
【００１６】
また上記第２の構成において、前記整流素子は、アノードが前記第２接続線に、カソードが前記第１接続線に接続された、ダイオードである構成（第３の構成）としてもよい。本構成によれば、ダイオードが有する整流機能を利用して、上記第２の構成を容易に実現することが可能である。
【００１７】
また上記第２または第３の構成において、前記電気的負荷は、前記正極端子側から負極端子側に電流を流す、ＤＣランプである構成（第４の構成）としてもよい。本構成によれば、ＤＣランプを電力出力装置に接続させる際、これらの間に当該コネクタ装置を介在させることで、ＤＣランプに逆方向の電力が出力されることを防止することができる。
【００１８】
また上記第２から第４の何れかの構成に係るコネクタ装置と、該コネクタ装置に接続された前記電力出力装置と、該電力出力装置が、前記第１コネクタ部側に出力している電力を検出する、電力検出手段と、を備え、前記第２コネクタ部に接続された前記電気的負荷に出力されている電力を検出する構成（第５の構成）の電力検出装置も有用である。
【００１９】
本構成によれば、電気的負荷の電力を検出することにより、例えば電気的負荷が適正であるか否かを判断することが可能となる。またコネクタ装置が設けられていることにより、電気的負荷に逆方向の電力が出力されることを防止することが可能となる。
【００２０】
また上記第５の構成において、前記電力出力装置は、前記出力端子と前記グラウンド端子が略短絡状態となったときに電力の出力を停止させる、ショートプロテクト手段を備えた構成（第６の構成）としてもよい。
【００２１】
コネクタ装置の整流素子において、順方向のインピーダンスが十分小さい場合には、第１接続線と第２接続線は略短絡状態となる（ひいては、電力出力装置の出力端子とグラウンド端子が略短絡状態となる）可能性がある。そこで本構成によれば、このように略短絡状態となったときに電力の出力を停止させることができるので、各回路が大電流により破損するといった不具合を、極力防止することが可能となる。
【００２２】
また、第１コネクタ部と第２コネクタ部とを有し、該第１コネクタ部には、所定の電力を出力するための出力端子とグラウンド端子を備える電力出力装置が接続され、該第２コネクタ部には、正極端子と負極端子を備えるとともに、該正極端子側から負極端子側に電流を流すＤＣランプが接続されることにより、前記電力出力装置とＤＣランプを互いに接続させるものであって、前記第１コネクタ部は、電力入力端子および入力側グラウンド端子を有しており、該電力入力端子には前記出力端子が、該入力側グラウンド端子には前記グラウンド端子が、各々接続されるものであり、前記第２コネクタ部は、電力出力端子および出力側グラウンド端子を有しており、該電力出力端子には前記正極端子が、該出力側グラウンド端子には前記負極端子が、各々接続されるものであり、前記電力入力端子と電力出力端子は、第１接続線により接続されており、前記入力側グラウンド端子と出力側グラウンド端子は、第２接続線により接続されており、前記第１接続線と第２接続線は、アノードが前記第２接続線に、カソードが前記第１接続線に接続された、ダイオードを介して接続されているコネクタ装置と；該コネクタ装置に接続された前記電力出力装置と；該電力出力装置が、前記第１コネクタ部側に出力している電力を検出する、電力検出手段と；を備え、前記第２コネクタ部に接続された前記ＤＣランプに出力されている電力を検出する電力検出装置であって、前記電力出力装置は、前記出力端子と前記グラウンド端子が略短絡状態となったときに電力の出力を停止させる、ショートプロテクト手段を備えた構成（第１の構成）による電力検出装置であれば、上記第２から第６の構成に係る利点を享受することができる。
【００２３】
また上記第５または第６の構成に係る電力検出装置における前記第２コネクタに、前記電気的負荷を接続する第１工程と、該接続のなされた状態において、前記電力検出手段に、前記電力出力装置が前記第１コネクタ側に出力している電力を検出させる第２工程と、該検出のなされた後、前記第１工程でなされた接続を解除させる第３工程と、を含む、前記電気的負荷の検査方法によれば、電気的負荷に逆向きの電力が流れ込む不具合を回避しつつ、電力確認検査を達成することが可能である。
【発明の効果】
【００２４】
上述した通り本発明のコネクタ装置によれば、電力出力装置側から電気的負荷側（下流側）に対して、正常な向きの電力が出力された場合には、整流素子は電流を通さないから、電気的負荷に電力を出力することができる。その一方、電力出力装置側から電気的負荷側に対して、逆向きの電力が出力された場合には、整流素子は電流を通すこととなる。
【００２５】
そのため、整流素子の順方向（電流を通す方向）における電流の流れ易さを、電気的負荷よりも十分大きくしておくことで、当該電気的負荷に逆向きの電力が入力されることを防止し得る。またコネクタ装置は、電力出力装置と電気的負荷との間に介在しているから、例えば多数の電気的負荷との着脱を繰り返すことで第２コネクタ部が劣化したとしても、コネクタ装置のみを新しいものに取り替えれば良く、電力出力装置を修理する等の必要はない。
【００２６】
また本発明の電力検出装置によれば、電気的負荷の電力を検出することにより、例えば電気的負荷が適正であるか否かを判断することが可能となる。またコネクタ装置が設けられていることにより、電気的負荷に逆方向の電力が出力されることを防止することが可能となる。
【発明を実施するための最良の形態】
【００２７】
本発明の一実施形態として、プロジェクタ用のＤＣランプに電力を投入してその電力状態を確認する検査（電力確認検査）に用いる、電力検出装置を挙げて以下に説明する。電力検出装置の模式的な構成図を、図１に示す。
【００２８】
図１に示すように、電力検出装置１は、電源１１、電力計１２、およびコネクタ装置３を備えている。電源１１は、所定の電力（例えば定電圧３８０Ｖ相当）を出力するための電力線（Ballast +Line）およびＧＮＤ線（Ballast -Line）を有しており、不図示の電源スイッチがＯＮとなっているときに、下流側に直流電力を供給する。
【００２９】
また電源１１は、その内部にＬＳＰ［ランプショートプロテクト］機能を実現するための回路が組み込まれている。このＬＳＰ機能は、電力線とグラウンド線が略短絡状態となったことを検出したときに電力の供給を停止させ、後段に接続されている回路を保護するものである。なおＬＳＰ機能を実現する回路としては、例えば図２に示すもの等が挙げられる。ＬＳＰ機能自体は公知技術であるため、その詳細な説明は省略する。
【００３０】
電力計１２は、電流計ならびに電圧計に相当する機能を兼ね備えており、上流側から下流側に供給されている電力を検出する。また、上流側の電源１１における電力線およびＧＮＤ線に接続されている。また、下流側のコネクタ装置３におけるコネクタ３ａと接続するためのコネクタ１２ａを有している。コネクタ１２ａの正極端子には電力線が接続されており、同じく負極端子にはＧＮＤ線が接続されている。
【００３１】
コネクタ装置３は、上流側の電力計１２におけるコネクタ１２ａと着脱自在に接続可能なコネクタ３ａ、および、下流側のＤＣランプ２におけるコネクタ２ａと着脱自在に接続可能なコネクタ３ｂを有している。またコネクタ３ａの正極端子とコネクタ３ｂの正極端子は、第１接続線３１により接続されており、コネクタ３ａの負極端子とコネクタ３ｂの負極端子は、第２接続線３２により接続されている。
【００３２】
またさらに、第１接続線と第２接続線とは、アノードが第２接続線３２に、カソードが第１接続線３１に接続された、高耐圧ダイオード３３を介して接続されている。この高耐圧ダイオード３３は、第１接続線から第２接続線の方向にのみ電流を流す整流素子としての役割を果たす。
【００３３】
なお高耐圧ダイオード３３は、電源１１の出力電圧程度の大きさの逆方向バイアスがかかっても、降伏しないものが採用されている。また順方向については、検査対象となる電気的負荷（ここではＤＣランプ２）に比べて、十分に電流の流れ易いものが採用されている。
【００３４】
電力確認検査の対象となるＤＣランプ２は、正極端子および負極端子を備えたコネクタ２ａを有している。またＤＣランプ２は、この正極端子側から入力された直流電力を用いて発光するものであり、回路上は電気的負荷（抵抗）と見ることもできる。なおＤＣランプ２は、電力が入力されるべき方向が決まっており、仮に逆向き（負極端子から正極端子に向かう方向）の電力が入力された場合には、破損する等の不具合を生ずるおそれがある。
【００３５】
またそれぞれの装置もしくは検査対象を接続させるためのコネクタ（１２ａ、３ａ、３ｂ、２ａ）において、互いに接続し合うもの同士、すなわち、１２ａと３ａ、３ｂと２ａの各々は、必ず正極（＋）端子同士および負極（−）端子同士が接続し合うように配慮されている。これは、例えばコネクタにおいて、図３に示すような凹部および凸部を備えるものとし、接続時にこれらが嵌まり合うようにすることで実現されている。
【００３６】
次に、上述した構成の電力検出装置１を用いた、ＤＣランプ２に対する電力確認検査の工程について説明する。まず初めに、電源１１における電源スイッチをＯＦＦとした状態で、互いに対を成しているコネクタ同士（１２ａと３ａ、および、３ｂと２ａ）を接続させておく。
【００３７】
その後、電源スイッチをＯＮに切替えて、ＤＣランプ２を含む下流側に直流電力を供給する。このとき、コネクタ装置３における高耐圧ダイオード３３には、逆方向バイアスがかかる状態となるため殆ど電流が流れない。そのため電源１１から供給された電力は、ＤＣランプ２に投入されることとなる。
【００３８】
そこでこの状態にて、電力計１２の検出結果を確認することとする。なお電源１１が定電圧電源であるとしたときの当該電圧をＶ、ＤＣランプ２における抵抗をＲとすると、電力計によれば、ほぼＶ2／Ｒ（＝Ｗ）で表される電力が検出されることとなる。これにより、Ｗが予め設定された適正範囲を上回っていたり、逆に下回っていたりしたときは、ＤＣランプ２は、その抵抗値に関して不良品であると確認でき、Ｗが適正範囲内であれば、良品であると確認できる。
【００３９】
かかる確認工程が完了したら、ＤＣランプ２をコネクタ装置３から取り外し、次に検査すべき別のＤＣランプ２を、コネクタ装置に接続する。以下同様に、電力確認とＤＣランプの着脱工程を繰り返すことで、複数のＤＣランプ２に対する電力確認検査を行うことが可能である。
【００４０】
次に、何らかの原因によって、電力検出装置１の出力電力の向きが逆転している場合、すなわち、電力計１２のコネクタ１２ａにおける負極端子側から電力が出力される場合について説明する。この場合、電力計１２に接続されているコネクタ装置３においては、第２接続線３２には電源１１側から所定の電圧が印加される。
【００４１】
そのため、高耐圧ダイオード３３には順方向バイアスがかかることとなり、第１接続線３１と第２接続線３２は、略短絡状態となる。なおコネクタ装置３にＤＣランプ２が接続されていても、高耐圧ダイオード３３はＤＣランプ２に比べて十分に電流を流し易いため、ＤＣランプ２には殆ど電流は流れない。
【００４２】
このように本実施形態では、電力検出装置１の出力電力の向きが逆転している場合であっても、ＤＣランプ２に逆向きの電力が入力されることを防止することができ、ＤＣランプ２の破損等の不具合を防止することが可能となっている。
【００４３】
また先述の通り、電源１１はＬＳＰ機能を備えていることから、高耐圧ダイオード３３が略短絡状態となった場合には、電力の供給は停止される。その結果、大電流により各回路が破損するといった不具合を、極力防止することが可能となっている。
【００４４】
以上に説明したように、本実施形態のコネクタ装置３は、コネクタ３ａ（第１コネクタ部）とコネクタ３ｂ（第２コネクタ部）とを有している。また、コネクタ３ａには、所定の電力を出力するための正極端子（出力端子）と負極端子（グラウンド端子）を備える電源１１（電力出力装置）が接続され、コネクタ３ｂには、正極端子と負極端子を備えるＤＣランプ２（電気的負荷）が接続されることにより、電力出力装置１とＤＣランプ２を互いに接続させるものである。
【００４５】
またコネクタ３ａは、正極端子（電力入力端子）および負極端子（入力側グラウンド端子）を有しており、コネクタ３ａの正極端子には電力出力装置１側の正極端子が、コネクタ３ａの負極端子には電力出力装置１側の負極端子が、各々接続されるものである。またコネクタ３ｂは、正極端子（電力出力端子）および負極端子（出力側グラウンド端子）を有しており、コネクタ３ｂの正極端子にはＤＣランプの正極端子が、コネクタ３ｂの負極端子にはＤＣランプの負極端子が、各々接続されるものである。
【００４６】
またコネクタ３ａの正極端子とコネクタ３ｂの正極端子は、第１接続線３１により接続されており、コネクタ３ａの負極端子とコネクタ３ｂの負極端子は、第２接続線３２により接続されている。また、第１接続線３１と第２接続線３２は、第２接続線３２から第１接続線３１の方向にのみ電流を流す整流素子（高耐圧ダイオード３３）を介して接続されている。
【００４７】
そのため当該コネクタ装置３によれば、電力出力装置１側からＤＣランプ２側（下流側）に対して、正常な向きの電力が出力された場合には、高耐圧ダイオード３３は電流を通さないから、ＤＣランプ２に電力を出力することができる。その一方、電力出力装置１側からＤＣランプ２側に対して、逆向きの電力が出力された場合には、高耐圧ダイオード３３は電流を通すこととなる。
【００４８】
また、高耐圧ダイオード３３の順方向（電流を通す方向）における電流の流れ易さは、ＤＣランプ２よりも十分大きいため、当該ＤＣランプ２に逆向きの電力が入力されることが防止される。またコネクタ装置３は、電力出力装置１とＤＣランプ２との間に介在しているから、例えば多数のＤＣランプ２との着脱を繰り返すことでコネクタ３ｂが劣化したとしても、コネクタ装置３のみを新しいものに取り替えれば良く、電力出力装置１を修理する等の必要はない。
【００４９】
また本実施形態を、ＤＣランプ２に対して電力確認検査を行うための電力検出装置として見れば、本電力検出装置は、コネクタ装置３と、コネクタ装置３に接続された電源１１（電力出力装置）を備えている。なお電力検出装置１は、コネクタ３ａ側に出力している電力を検出するための電力検出手段（電力計１２）を備えている。
【００５０】
そのため電力検出装置１によれば、ＤＣランプ２の電力を検出することにより、ＤＣランプ２の内部抵抗が適正であるか否かを判断することが可能となっている。またコネクタ装置３が設けられていることにより、ＤＣランプ２に逆方向の電力が出力されることを防止することが可能となっている。
【００５１】
その他本発明は上記の各実施形態に限定されず、本発明の主旨を逸脱しない範囲で、種々の変更が可能である。
【産業上の利用可能性】
【００５２】
本発明は、例えばＤＣランプの電力確認検査用の装置として有用である。
【図面の簡単な説明】
【００５３】
【図１】本発明の実施形態に係る、電力検出装置の構成図である。
【図２】ＬＳＰ機能を実現するための回路の一例を示す図である。
【図３】一対のコネクタの形状を示す図である。
【図４】従来の電力検出装置の一例に係る構成図である。
【符号の説明】
【００５４】
１、１０１    電力検出装置
２、１０２    ＤＣランプ（電気的負荷）
３            コネクタ装置
１１、１１１    電源（電力出力装置）
１２、１１２    電力計（電力検出手段）
３１            第１接続線
３２            第２接続線
３３            高耐圧ダイオード（整流素子、ダイオード）
３ａ            コネクタ装置における入力側のコネクタ（第１コネクタ部）
３ｂ            コネクタ装置における出力側のコネクタ（第２コネクタ部）
２ａ            ＤＣランプにおけるコネクタ
１２ａ          電力計におけるコネクタ
【図１】
2008103125.tif 000003
【図２】
2008103125.tif 000004
【図３】
2008103125.tif 000005
【図４】
2008103125.tif 000006